(57)【特許請求の範囲】
【請求項１】
自動原稿送り装置により順次送られる原稿を走査し、記録紙の表面に記録した後にこの記録紙を反転させてその裏面に記録する両面記録を行うことにより、読み取った原稿画像を順次記録するとともに記録紙の間に合紙を挿入する画像記録装置であって、
記録紙を収納する給紙トレイと合紙を収納する給紙トレイとからなる複数の給紙トレイと、
合紙を挿入すべきページ番号を入力するページ番号入力手段と、
このページ番号入力手段により入力されたページ番号を記憶するページ番号記憶手段と、
自動原稿送り装置により順次送られる原稿のページ数をカウントするカウント手段と、
前記カウント手段のカウント値と前記ページ番号記憶手段に記憶されたページ番号とを比較する比較手段と、
次に記録する記録紙の面が表面か裏面かを識別する表裏面判別手段と、
前記読み取った原稿画像を給紙トレイから取り出した記録紙の表面と裏面とに順次記録するとともに、前記比較手段により前記カウント値と前記ページ番号とが一致する場合は当該記録した記録紙に続けて前記合紙を収納する給紙トレイから取り出した合紙を排出するように制御する制御手段であって、前記比較手段により前記カウント値と前記ページ番号とが一致した場合に前記表裏面判別手段により次に記録する記録紙の面が、
表面であれば、前記読み取った原稿画像を記録紙の表面のみに記録して排出し、  裏面であれば前記読み取った原稿画像を記録紙の裏面に記録して排出する制御手段とを備えたことを特徴とする画像記録装置。
【請求項２】
前記ページ番号記憶手段は同一ページ番号を複数記憶するとともに、
前記制御手段は、前記ページ番号記憶手段に同一ページ番号が複数ある場合は該複数枚の合紙を続けて排出することを特徴とする請求項１記載の画像記録装置。
【請求項３】
合紙を収納する給紙トレイとして記録紙を収納する給紙トレイを指定する手段を備え、
合紙として記録紙を白紙のまま排出することを特徴とする請求項１または請求項２記載の画像記録装置。
【請求項４】
自動原稿送り装置により順次送られる原稿を走査し、記録紙の表面に記録した後にこの記録紙を反転させてその裏面に記録する両面記録を行って読み取った原稿画像を順次記録するとともに記録紙の間に合紙を挿入する画像記録装置であって、
記録紙を収納する給紙トレイと合紙を収納する絵紙トレイとからなる複数の給紙トレイと、
合紙を挿入すべきページを示すために原稿の間に挿入された区切り紙の有無を検出する区切り紙検出手段と、
次に記録する記録紙の面が表面か裏面かを識別する表裏面判別手段と、
前記読み取った原稿画像を次に記録する記録紙の表面と裏面とに順次記録するとともに、前記区切り紙検出手段により前記区切り紙を検出した場合は前記合紙を収納する給紙トレイから合紙を取り出して排出するように制御する制御手段であって、前記区切り紙検出手段により前記区切り紙を検出した場合に前記表裏面判別手段により次に記録する記録紙の面が、裏面の場合は既に表面に記録がなされた記録紙を排出してから合紙を排出し、表面の場合はそのまま合紙を排出する制御手段とを備えたことを特徴とする画像記録装置。
【請求項５】
記録紙の表面に画像を記録した後にこの記録紙を反転させてその裏面に画像を記録する両面記録を行うことにより順次画像を記録するとともに記録紙の間に合紙を挿入する画像記録装置であって、                        記録紙を収納する給紙トレイと合紙を収納する給紙トレイとからなる複数の給紙トレイと、
合紙を挿入すべきページ番号を入力するページ番号入力手段と、
入力された合紙を挿入すべきページ番号を記憶するページ番号記憶手段と、  記録すべき画像データをページ単位に記憶する画像データ記憶手段と、
前記記憶手段から画像データを１ページ毎に順次読み出す画像データ読出し手段と、
この読出し手段により読み出した画像のページ数をカウントするカウント手段と、
前記カウント手段のカウント値と前記ページ番号記憶手段に記憶されたページ番号とを比較する比較手段と、
次に記録する記録紙の面が表面か裏面かを識別する表裏面判別手段と、
前記画像データ読出し手段によって読み出した画像を記録紙の表面と裏面とに順次記録するとともに前記比較手段により前記カウント値と前記ページ番号とが一致する場合は当該記録した記録紙に続けて前記合紙を収納する給紙トレイから取り出した合紙を排出するように制御する制御手段であって、前記比較手段により前記カウント値と前記ページ番号とが一致した場合に前記表裏面判別手段により次に記録する記録紙の面が表面であれば、前記読み取った原稿画像を記録紙の表面のみに記録して排出する制御手段とを備えたことを特徴とする画像記録装置。
【発明の詳細な説明】
【０００１】
【産業上の利用分野】
本発明は、複写機，プリンター，ファクシリ装置等の画像記録装置に関し、画像記録後の用紙の間に合紙を挿入する処理を行う画像記録装置に関する。
【０００２】
【従来の技術】
たとえば、複写機において、原稿を複写して製本する場合には、章の区切等を容易に識別できるように、原稿を複写した記録紙の間に合紙と呼ばれる白紙或いは色紙を挿入することが行われている。
【０００３】
たとえば、特開平２−１１０７７号公報には、両面原稿或いは片面原稿からＯＨＰシートに複写する場合に、所定枚数毎にＯＨＰシートの間に合紙を挿入する合紙処理装置が記載されている。しかしながら、同公報に記載の合紙処理装置は、合紙を挿入する対象がＯＨＰシートであるため、記録紙の両面に画像が形成される場合にどのように合紙を挿入するかについては示されていない。
【０００４】
【発明が解決しようとする課題】
複写機には、両面複写が可能であり、且つ、合紙の挿入が可能なものがあり、このような複写機において、片面原稿或いは両面原稿から両面記録の記録紙を作成し、両面記録紙の所定ページに合紙を挿入する場合がある。たとえば、原稿を複写して製本する際に、章の区切等を容易に識別できるように、原稿を複写した記録紙の間に合紙を挿入する必要がある。このような場合、上記公報に記載の合紙処理装置では対処することができなかった。
【０００５】
そこで本発明は、片面原稿、両面原稿或いは電子的な原稿から両面記録の記録紙を作成してする場合に、任意のページに合紙を挿入することができるようにすることを特徴とする。
【０００６】
【課題を解決するための手段】
本発明の画像記録装置は、前記目的を達成するため、自動原稿送り装置により順次送られる原稿を走査し、記録紙の表面に記録した後にこの記録紙を反転させてその裏面に記録する両面記録を行うことにより、読み取った原稿画像を順次記録するとともに記録紙の間に合紙を挿入する画像記録装置であって、記録紙を収納する給紙トレイと合紙を収納する給紙トレイとからなる複数の給紙トレイと、合紙を挿入すべきページ番号を入力するページ番号入力手段と、このページ番号入力手段により入力されたページ番号を記憶するページ番号記憶手段と、自動原稿送り装置により順次送られる原稿のページ数をカウントするカウント手段と、前記カウント手段のカウント値と前記ページ番号記憶手段に記憶されたページ番号とを比較する比較手段と、次に記録する記録紙の面が表面か裏面かを識別する表裏面判別手段と、前記読み取った原稿画像を給紙トレイから取り出した記録紙の表面と裏面とに順次記録するとともに、前記比較手段により前記カウント値と前記ページ番号とが一致する場合は当該記録した記録紙に続けて前記合紙を収納する給紙トレイから取り出した合紙を排出するように制御する制御手段であって、前記比較手段により前記カウント値と前記ページ番号とが一致した場合に前記表裏面判別手段により次に記録する記録紙の面が、表面であれば、前記読み取った原稿画像を記録紙の表面のみに記録して排出し、裏面であれば前記読み取った原稿画像を記録紙の裏面に記録して排出する制御手段とを備えたことを特徴とする。
【０００７】
【作用】
合紙を挿入すべきページが片面記録後である場合には、その片面の反対面に次のページの画像を記録することはできないので、記録後の用紙を排出後に合紙を給紙し、合紙を挿入すべきページが両面記録後である場合には、次のページの画像との区切りになるので、そのまま合紙を給紙する。これにより、任意のページに合紙を挿入することができる。
【０００８】
【実施例】
以下、図面を参照しながら実施例に基づいて本発明の特徴を具体的に説明する。
【０００９】
図１は、本発明の画像記録装置が適用された複写機の概略構成を示す模式図である。
【００１０】
図１に示す複写機は、複写機本体１の上面に、原稿を載置するプラテンガラス２が配置され、その下方に画像読取系３、ベルト感光体４を備えた画像記録系５の各装置が配置されている。また、複写機１には、上段給紙トレイ６−１、中段給紙トレイ６−２、下段給紙トレイ６−３が取り付けられている。各給紙トレイ内の記録紙を搬送するための用紙搬送系７には、インバータ８及び両面トレイ９が配置されている。更に、複写機１の上部には、ディスプレイ，操作キー等を備えたユーザインタフェース１０が取り付けられると共に、プラテンガラス２の上に自動両面原稿送り装置１１が取り付けられている。
【００１１】
複写すべき原稿は、自動両面原稿送り装置１１によりプラテンガラス２上の所定の位置に１枚ずつ送り込まれ、プラテンガラス２の下面に沿って移動する画像読取系３により原稿の画像が走査される。原稿からの反射光は、画像読取系３において一旦イメージセンサにより画像信号に変換され、所定の画像処理を施された後、ラスタ出力スキャナに供給され、このラスタ出力スキャナからのレーザビームが感光体４に照射される。
【００１２】
上記画像記録系５は、たとえば、電子写真方式で画像を記録するものであり、周知のように、感光体４の周囲に、帯電装置、露光装置、現像装置、転写装置、クリーニング装置等 (いずれも図示せず) が順次配列されている。
【００１３】
感光体４の表面は、帯電装置により一様に帯電され、原稿の画像に対応した光により露光され、感光体４の表面には原稿画像に対応した静電潜像が形成される。この静電潜像は、現像装置においてトナーで現像されてトナー像が生成される。このトナー像の生成に同期して、給紙トレイ６−１，６−２，６−３或いは両面トレイ９から記録紙が経路Ａを通って感光体４の転写部Ｔ方向に搬送され、感光体４上のトナー像は、転写装置 (図示せず) により記録紙上に転写され、記録紙上に原稿画像に対応したトナー像が記録される。また、転写後に感光体上に残ったトナーはクリーニング装置 (図示せず) で除去され、次の画像形成サイクルに備える。
【００１４】
片面記録後の記録紙は、経路Ｂを通って定着装置１２を通過し、トナー像が記録紙に定着される。定着後の記録紙は、片面記録の場合には、経路Ｃを通って機外に排出される。両面記録の場合には、定着後の記録紙は、経路Ｄを通ってインバータ８に送られて表裏が反転された後に、経路Ｅを通って両面トレイ９に送られる。
【００１５】
両面トレイ９内の記録紙は、給紙トレイ６−１，６−２，６−３からの記録紙と同様に、但し表裏が反転して、感光体４の転写部Ｔ方向に送られて裏面に原稿の裏面の画像が転写される。転写後の両面記録紙は、再度経路Ｂを通って定着装置１２を通過し裏面のトナー像が定着され、今度は機外に排出される。
【００１６】
通常の複写動作においては、給紙トレイ６−１，６−２，６−３にはそれぞれ異なるサイズの用紙が収納されるが、後述する合紙挿入を行う場合には、たとえば、給紙トレイ６−１，６−２を合紙トレイとしてして使用し、これらの給紙トレイ６−１，６−２には合紙となる色の異なる用紙を収納し、給紙トレイ６−３に原稿の画像が記録される記録紙を収納する。
【００１７】
図２は、図１に示す複写機における電気回路を示す概略ブロック図である。
【００１８】
制御部２１は、ユーザインタフェース部２２（図１のユーザインタフェース１０に対応）からの指示に応じて、自動両面原稿送り部２３（自動両面原稿送り部１１に対応）、画像読取部２４（画像読取系３に対応）、画像処理装置２５、画像形成部２６（画像記録系５に対応）の動作を制御する。また、画像処理装置２５には、大容量記憶装置２７が接続されている。なお、制御部２１は、たとえば、マイクロコンピュータにより制御されるものであり、周知のように、ＣＰＵ (中央処理装置) 、ＲＡＭ（ランダムアクセスメモリ）、ＲＯＭ（読み出し専用メモリ）等を備えている。
【００１９】
原稿読取部２４からの画像信号は、画像処理部２５に供給されて所定の画像処理を受けた後に画像形成部２６に供給され、記録紙上に原稿画像に対応した画像が得られる。また、画像読取部２４で読み取った原稿の画像データは、必要に応じて大容量記憶装置２７に蓄積される。
【００２０】
図３は、ユーザインタフェース１０を示す正面図である。ユーザインタフェース１０の前面部３１には、表示装置としてＣＲＴディスプレイ３２が配置されると共に、テンキー３３、スタートキー３４、機能選択キー３５等の各種の操作キーが配置されている。
【００２１】
図４は、ユーザインタフェース１０において、合紙挿入モードを選択したときにＣＲＴディスプレイ３２に表示される合紙挿入ウィンドウの一例を示している。なお、ＣＲＴディスプレイ３２の前面には透明なタッチスクリーンが設けられており、ＣＲＴディスプレイ３２の表示面の所定個所を指で触ることにより、触った位置の対応する情報が入力可能となっている。ページ表示部４１は、合紙が挿入されるページ番号を表示するもので、図３に示すユーザインタフェースのテンキー３３でページ番号を入力した後に設定キー４２を押すと、入力されたベージ番号が制御部２１に内蔵されているＲＡＭの所定に格納されると共に、このベージ番号が挿入ページ番号表示部４３の最初の枠に表示される。以下同様に、ベージ番号入力、設定の動作を繰り返す。図４の例は、挿入ページとして、３、５、１０、１５ページが設定されている状態を示している。また、毎ページ後キー４４を押した場合には、各ページの後に合紙が挿入される。合紙トレイ選択キー４５ａ，４５ｂは、挿入すべき合紙の色を選択するものであり、それぞれ色の異なった合紙が収容されたトレイ１，２（たとえば、給紙トレイ６−１，６−２に対応）から所望の色の合紙を選択することができる。また、合紙トレイ選択キー４５ｃは、コピー用紙が収容されているトレイ（たとえば、給紙トレイ６−３）からの用紙を合紙として選択するためのものである。
【００２２】
なお、挿入ページとして、同一ページを複数回指定することもできる。これは、指定のページの後にメモ用紙として複数毎の白紙を挿入する場合に有効である。また、存在しないページが指定された場合には、その旨の表示を行って、合紙処理は行わないようにする。
【００２３】
次に、上述した複写機における合紙挿入処理について説明する。いま、図５（ａ）に示すような片面原稿Ｄ１〜Ｄ６から合紙挿入を行うことなく両面コピーを作成する場合について考える。この場合には、
（１）１番目の原稿Ｄ１の読み取り→１番目の記録紙Ｐ１の表面への記録
（２）２番目の原稿Ｄ２の読み取り→１番目の記録紙Ｐ１の裏面への記録
（３）１番目の記録紙Ｐ１排出
（４）３番目の原稿Ｄ３の読み取り→２番目の記録紙Ｐ２の表面への記録
（５）４番目の原稿Ｄ４の読み取り→２番目の記録紙Ｐ２の裏面への記録
（６）２番目の記録紙Ｐ２排出
（７）５番目の原稿Ｄ５の読み取り→３番目の記録紙Ｐ３の表面への記録
（８）６番目の原稿Ｄ６の読み取り→３番目の記録紙Ｐ３の裏面への記録
（９）３番目の記録紙Ｐ３排出
というように、原稿の読み取り、画像の記録及び記録紙の排出が順次行われ、図６（ａ）に示すような３枚の両面コピーＰ１〜Ｐ３が得られる。
【００２４】
また、図５（ｂ）に示すような両面原稿Ｄ１〜Ｄ３から両面コピーを作成する場合は、
（１）１番目の原稿Ｄ１の表面読み取り→１番目の記録紙Ｐ１の表面への記録
（２）１番目の原稿Ｄ１の裏面読み取り→１番目の記録紙Ｐ１の裏面への記録
（３）１番目の記録紙Ｐ１排出
（４）２番目の原稿Ｄ２の表面読み取り→２番目の記録紙Ｐ２の表面への記録
（５）２番目の原稿Ｄ２の裏面読み取り→２番目の記録紙Ｐ２の裏面への記録
（６）２番目の記録紙Ｐ２排出
（７）３番目の原稿Ｄ３の表面読み取り→３番目の記録紙Ｐ３の表面への記録
（８）３番目の原稿Ｄ３の裏面読み取り→３番目の記録紙Ｐ３の裏面への記録
（９）３番目の記録紙Ｐ３排出
という処理により、上記の片面原稿の場合と同様に図６（ａ）に示すような３枚の両面コピーＰ１〜Ｐ３が得られる。
【００２５】
次に、図５（ａ）に示すような片面原稿から合紙挿入を行いながら両面コピーを作成する場合について考える。なおここでは、原稿の１ページの後と３ページの後に合紙挿入を行うものとする。この場合には、
（１）１番目の原稿Ｄ１の読み取り→１番目の記録紙Ｐ１の表面への記録
（２）１番目の記録紙Ｐ１排出
（３）１番目の合紙Ｓ１排出
（４）２番目の原稿Ｄ２の読み取り→２番目の記録紙Ｐ２の表面への記録
（５）３番目の原稿Ｄ３の読み取り→２番目の記録紙Ｐ２の裏面への記録
（６）２番目の記録紙Ｐ２排出
（７）２番目の合紙Ｓ２排出
（８）４番目の原稿Ｄ４の読み取り→３番目の記録紙Ｐ３の表面への記録
（９）５番目の原稿Ｄ５の読み取り→３番目の記録紙Ｐ３の裏面への記録
（１０）３番目の記録紙Ｐ３排出
（１１）６番目の原稿Ｄ６の読み取り→４番目の記録紙Ｐ４の表面への記録
（１２）４番目の記録紙Ｐ４排出
というように、原稿の読み取り、画像の記録、記録紙の排出及び合紙挿入が順次行われ、図６（ｂ）に示すような１ページの後と３ページの後に合紙が挿入された４枚のコピーが得られる。
【００２６】
両面原稿から合紙挿入を行いながら両面コピーを作成する場合についも同様であるので説明は省略するが、上述のように原稿の奇数ページの後に合紙を挿入する場合には、本来１枚の記録紙の表裏に印刷されるべき、連続ページが１枚の記録紙に跨がってしまうので、記録紙に画像を形成する場合には、原稿が片面であるか両面であるか、或いは、何ページ目に合紙を挿入するか等の各種の複写条件によって、記録紙上に画像を形成する順序が異なってくる。
【００２７】
そこで本実施例においては、各種の複写条件に応じて適切な順序で画像の形成及び記録紙の排出を行うことにより、どのような場合でも適正なコピーが得られるようにしている。
【００２８】
以下、各条件下における処理について説明する。
【００２９】
図７及び図８は、片面原稿から両面コピーを作成する場合の合紙処理のフローチャートを示している。なお、合紙を挿入すべきページ番号は、予めユーザインタフェース１０から入力されているものとする。
【００３０】
ユーザインタフェース１０のスタートキー３４が押されると (ステップ１０１）、合紙挿入ページ番号がＲＡＭのテーブル上に転記される (ステップ１０２）。なお、このテーブルは、ＲＡＭの領域のユーザインタフェース１０から入力された合紙挿入ページ番号を格納する領域とは別の領域を使用すればよい。次に、記録紙の複写面を示す変数ＣｏｐｙＳｉｄｅに第１面を表す「１」をセットすると共に、原稿ページ番号を「０」をセットする (ステップ１０３）。次に、原稿ページ番号がテーブルに格納されている合紙挿入ページ番号と一致するか否か判別し、一致する場合には合紙トレイ（給紙トレイ６−１或いは６−２）から合紙を送り出して機外に排出する。なお、原稿ページ番号は、自動両面原稿送り装置１１からプラテンガラス２上に送り出されてくる原稿の数をカウンタで計数することにより知ることができる。次に、ＲＡＭ上のテーブルから合紙挿入ページ番号を削除する (ステップ１０６）。
【００３１】
ステップ１０４で原稿ページ番号が合紙挿入ページと一致しない場合には、自動両面原稿送り装置１１により原稿をプラテンガラス２上に１枚送り出し (ステップ１０７）、原稿ページ番号を１だけ増やす (ステップ１０８）。次に、原稿ページ番号と合紙挿入ページとの一致を判別し (ステップ１０９）、一致しない場合には、コピー面を判別する (ステップ１１０）。ＣｏｐｙＳｉｄｅ＝１、すなわち、第１面であるときには、片面コピーをとって両面トレイ９へ排出し (ステップ１１１）、ＣｏｐｙＳｉｄｅを「２」にセットする。また、ＣｏｐｙＳｉｄｅ≠１、すなわち、第２面であるときには、両面コピーをとって機外へ排出し (ステップ１１４）、ＣｏｐｙＳｉｄｅを「１」にセットする (ステップ１１５）。次に、プラテンガラス２上の原稿を排出した後 (ステップ１１３）、後続原稿の有無を判別し、後続原稿がない場合には処理を終了する。後続原稿がある場合には、ステップ１０７へ戻る。なお、後続原稿の有無は、自動両面原稿送り装置１１に設けられた原稿センサで知ることができる。
【００３２】
ステップ１０７で原稿ページ番号と合紙挿入ページとが一致した場合には、
コピー面を判別し (ステップ１１７）、第１面であるときには、片面コピーをとって機外へ排出し (ステップ１１８）、第２面であるときには、両面コピーをとって機外へ排出し (ステップ１１９）、ＣｏｐｙＳｉｄｅを「１」にセットする (ステップ１２０）。次に、合紙トレイから合紙を送り出して機外に排出し (ステップ１２１）、ＲＡＭ上のテーブルから合紙挿入ページ番号を削除する (ステップ１２２）。次に、原稿ページ番号と合紙挿入ページの一致を判別し、一致した場合にはステップ１２１へ戻り、一致しない場合にはステップ１１３に飛ぶ。
【００３３】
図９及び図１０は、両面原稿から両面コピーを作成する場合の合紙処理のフローチャートを示している。なお、図７及び図８と対応するステップには同一符号を付している。このフローチャートは、図７及び図８に示されるフローチャートと類似しているが、ステップ１０７の後に、原稿の複写面を示す変数ＤｏｃＳｉｄｅに第１面を表す「１」をセットする (ステップ２０１）点、及び、この変数ＤｏｃＳｉｄｅの値に応じて処理を切り換えている点が異なっている。すなわち原稿の面を判別し (ステップ２０２）、ＤｏｃＳｉｄｅ＝１、すなわち、第１面であるときには、自動両面原稿送り装置１１によりプラテンガラス２上の原稿を反転して再度プラテンガラス２上にセットし (ステップ２０３）、ＤｏｃＳｉｄｅを「２」にセットした後 (ステップ２０４）ステップ１０８に戻っている点が異なっている。
【００３４】
上述の実施例においては、自動両面原稿送り装置１１により１枚ずつ原稿をプラテンガラス２上にセットして複写を行うようにしたが、予め自動両面原稿送り装置１１と画像読取系３に設けられた画像読取部２４により、原稿の全てのページの画像を読み込んで、画像処理装置２５に接続された大容量記憶装置２７に画像データとして蓄積しておき、画像形成の際にこの大容量記憶装置２７から所定の原稿のページの画像データを読み出し、この画像データに基づいて画像形成部２６により記録紙上に任意の順序で画像を形成することもできる。
【００３５】
図１１及び図１２は、このように原稿の画像データを大容量記憶装置２７に蓄積する形式の複写機において両面コピーを作成する場合のフローチャートを示している。図７及び図８と対応するステップには同一符号を付している。このフローチャートは、図７及び図８に示されるフローチャートと類似しているが、ステップ１０２の後に、画像読取部２４により全ての原稿を読み込んで、読み込んだ順に各ページの画像データにページ番号を付している点 (ステップ３０１）、大容量記憶装置２７から画像データを１ページ分読み出している点 (ステップ３０２）が異なっている。
【００３６】
また、上記実施例においては、合紙挿入ページをユーザインタフェース１０から入力するようにしたが、原稿の間に合紙を挿入すべきページを示す区切り紙を挿入しておき、複写の際にこの区切り紙の有無を検出して、その位置に合紙を挿入することもできる。なお、区切り紙の検出は、特開平１−１７７５６６号公報や、特開平４−８６７５９号公報に記載されているように、区切り紙のサイズや色を記録紙と異なるものとし、自動両面原稿送り装置１１に設けた用紙センサにより行うことができる。
【００３７】
図１３は、このように区切り紙により合紙挿入ページを設定する場合のフローチャートを示している。図７及び図８と対応するステップには同一符号を付している。このフローチャートは、図７及び図８に示されるフローチャートと類似しているが、原稿ページ番号と合紙挿入ページの一致を判別する代わりに、原稿が区切り紙であるか否かを判別する点 (ステップ４０１）、及び、区切り紙が検出され、このとき、記録紙の複写面が第２面であったときには、両面トレイ９内の片面コピーを機外に排出し (ステップ４０２）、ＣｏｐｙＳｉｄｅを「１」にセットし (ステップ４０３）、合紙トレイから合紙を送り出して機外に排出する点（ステップ４０４）が異なっている。
【００３８】
このように、区切り紙により合紙挿入ページを設定する場合には、ユーザが合紙を挿入すべきページを数えてユーザインタフェース１０に入力する必要がないので合紙挿入のための操作が非常に簡単になるという利点がある。
【００３９】
【発明の効果】
以上に述べたように、本発明においては、両面コピーを作成する場合にも、合紙の挿入を容易に行うことができる。
【図面の簡単な説明】
【図１】  本発明の画像記録装置が適用された複写機の概略構成を示す模式図である。
【図２】  図１に示す複写機における電気回路を示す概略ブロック図である。
【図３】  ユーザインタフェースを示す正面図である。
【図４】  ユーザインタフェースに表示される合紙挿入ウィンドウの一例を示す模式図である。
【図５】  複写すべき片面原稿及び両面原稿を示す説明図である。
【図６】  通常コピーと合紙挿入を行ったコピーを示す説明図である。
【図７】  片面原稿から両面コピーを作成する場合の合紙処理のフローチャートのである。
【図８】  図７に続くフローチャートである。
【図９】  両面原稿から両面コピーを作成する場合の合紙処理のフローチャートである。
【図１０】  図９に続くフローチャートである。
【図１１】  原稿の画像データを大容量記憶装置に蓄積する形式の複写機において両面コピーを作成する場合の合紙処理のフローチャートである。
【図１２】  図１１に続くフローチャートである。
【図１３】  区切り紙により合紙挿入ページを設定する場合のフローチャートである。
【符号の説明】
１…複写機本体、２…プラテンガラス、３…画像読取系、４…感光体、５…画像記録系、６−１，６−２，６−３…給紙トレイ、７…用紙搬送系、８…インバータ、９…両面トレイ、１０…ユーザインタフェース、１１…自動両面原稿送り装置、１２…現像装置、２１…制御部、２２…ユーザインタフェース回路、２３…自動両面原稿送り部、２４…画像読取部、２５…画像処理部、２６…画像形成部、２７…大容量記憶装置、３１…前面部、３２…ＣＲＴディスプレイ、３３…テンキー、３４…スタートキー、３５…機能選択キー、４１…ページ表示部、４２…設定キー、４３…挿入ページ番号表示部、４４…毎ページ後キー、４５ａ，４５ｂ，４５ｃ…合紙トレイ選択キー
【図１】
0003802083.tif 000002
【図２】
0003802083.tif 000003
【図３】
0003802083.tif 000004
【図４】
0003802083.tif 000005
【図５】
0003802083.tif 000006
【図６】
0003802083.tif 000007
【図７】
0003802083.tif 000008
【図８】
0003802083.tif 000009
【図９】
0003802083.tif 000010
【図１０】
0003802083.tif 000011
【図１１】
0003802083.tif 000012
【図１２】
0003802083.tif 000013
【図１３】
0003802083.tif 000014